(57)【要約】【課題】タッチ検出における良好な検出感度及び良好な位置検出精度を維持し、かつ検出速度の向上を図ること。【解決手段】タッチ検出装置１は、Ｘ方向に向かって延在し、かつＸ方向と交差するＹ方向に向かって配列されて、対象物の接近及び接触の少なくとも一方を検出するための駆動信号Ｖｃｏｍが印加される複数の駆動電極ＣＯＭＬと、Ｙ方向に向かって延在し、かつＸ方向に向かって配列されて、駆動電極ＣＯＭＬとの間に生じる静電容量の変化に対応したタッチ検出信号Ｖｄｅｔを出力する複数のタッチ検出電極ＴＤＬと、を有する複数の駆動領域Ｌ、Ｒと、干渉部６６に存在する駆動電極ＣＯＭＬに駆動信号Ｖｃｏｍを印加するタイミングでは、複数の駆動領域Ｌ、Ｒのうち干渉部６６と隣接する駆動領域に存在し、かつ駆動信号Ｖｃｏｍが印加される駆動電極ＣＯＭＬ以外の駆動電極ＣＯＭＬへの駆動信号Ｖｃｏｍの印加を停止する制御部１１と、を含む。【選択図】図１
2015043200.tif 000002
【特許請求の範囲】
【請求項１】
第１の方向に向かって延在し、かつ前記第１の方向と交差する第２の方向に向かって配列されて、対象物の接近及び接触の少なくとも一方を検出するための信号として駆動信号が印加される複数の駆動電極と、前記第２の方向に向かって延在し、かつ前記第１の方向に向かって配列されて、前記駆動電極との間に生じる静電容量の変化に対応した信号としての検出信号を出力する複数の検出電極と、を有し、前記第２の方向に配列され、かつ隣接する第１の駆動領域及び第２の駆動領域と、
隣接する前記第１の駆動領域と前記第２の駆動領域との間の境界と、
前記第１の駆動領域に含まれる第１の所定領域と前記第２の駆動領域に含まれる第２の所定領域と、を有し、
前記第１の所定領域と前記第２の所定領域とが前記境界を挟んで向かい合い、
前記第１の所定領域に存在する駆動電極に駆動信号が印加されるタイミングでは、前記第２の駆動領域に存在する駆動電極への駆動信号の印加を停止し、前記第２の所定領域に駆動信号が印加されるタイミングでは、前記第１の駆動領域に存在する駆動電極への駆動信号の印加を停止する、タッチ検出装置。
【請求項２】
前記第１の所定領域に存在する駆動電極に駆動信号が印加されるタイミングでは、前記第２の駆動領域に存在するすべての駆動電極への駆動信号の印加を停止し、前記第２の所定領域に駆動信号が印加されるタイミングでは、前記第１の駆動領域に存在するすべての駆動電極への駆動信号の印加を停止する、請求項１に記載のタッチ検出装置。
【請求項３】
隣接する前記第１の駆動領域と前記第２の駆動領域とに属するそれぞれの前記検出電極は、前記境界側の位置が同一である、請求項１又は請求項２に記載のタッチ検出装置。
【請求項４】
前記第１の駆動領域と前記第２の駆動領域とは同一の大きさである、請求項１から請求項３のいずれか１項に記載のタッチ検出装置。
【請求項５】
前記第１の所定領域及び前記第２の所定領域は、少なくとも、前記第２の方向における前記駆動電極の寸法の１／２以上である、請求項１から請求項４のいずれか１項に記載のタッチ検出装置。
【請求項６】
前記第１の駆動領域及び前記第２の駆動領域のうち、少なくとも１つにおいて、前記駆動信号を前記複数の駆動電極のうち少なくとも２つに対して同時に印加する、請求項１から請求項５のいずれか１項に記載のタッチ検出装置。
【請求項７】
隣接する前記第１の駆動領域と前記第２の駆動領域とのいずれにも駆動信号が印加されない期間には、隣接する前記第１の駆動領域及び前記第２の駆動領域において並列にタッチ検出を行う、請求項１から請求項５のいずれか１項に記載のタッチ検出装置。
【請求項８】
前記第１の駆動領域の前記検出電極は前記境界を挟んで前記第２の駆動領域の検出電極と分離し、前記第２の駆動領域の前記検出電極は前記境界を挟んで前記第１の駆動領域の検出電極と分離しており、かつ前記第１の駆動領域及び前記第２の駆動領域毎に複数の前記検出電極を有している、請求項１から請求項６のいずれか１項に記載のタッチ検出装置。
【請求項９】
前記第１の所定領域に属する前記駆動電極及び前記第２の所定領域に属する前記駆動電極に前記駆動信号を印加するとき、前記第１の所定領域の前記検出電極からの出力と、前記第２の所定領域の前記検出電極からの出力との和を検出信号とし、
前記第１の所定領域及び前記第２の所定領域以外に属する前記駆動電極に前記駆動信号を印加するときは、前記第１の駆動領域及び前記第２の駆動領域毎の前記検出電極からの出力を検出信号とする、請求項１から請求項８のいずれか１項に記載のタッチ検出装置。
【請求項１０】
前記第１の所定領域の駆動電極又は前記第２の所定領域の駆動電極を駆動する場合には、前記第１の駆動領域の検出電極又は前記第２の駆動領域の検出電極からの検出信号のみを検出する、請求項１から請求項８のいずれか１項に記載のタッチ検出装置。
【請求項１１】
前記第１の駆動領域と前記第２の駆動領域とは、前記第２の方向側で隣接し、
前記境界から前記第１の駆動領域側に向かって所定数分の前記駆動電極に相当する領域を前記第１の所定領域とし、前記第１の駆動領域に属する前記複数の駆動電極の数は、前記第２の駆動領域に属する前記複数の駆動電極の数よりも多く、
前記制御部は、前記第１の駆動領域に属する前記複数の駆動電極のうち、前記第２の方向において前記境界から最も遠い駆動電極から前記境界側の駆動電極に向かって順に前記駆動信号を印加し、かつ前記第２の駆動領域に属する前記複数の駆動電極のうち、前記境界に最も近い駆動電極又は最も遠い駆動電極から前記第２の方向において前記境界から離れた駆動電極に向かって順に前記駆動信号を印加することを繰り返す、請求項１から請求項１０のいずれか１項に記載のタッチ検出装置。
【請求項１２】
前記第１の方向における前記駆動電極の寸法は、前記第２の方向における前記第１の駆動領域及び前記第２の駆動領域の全体の寸法よりも大きい、請求項１から請求項１１のいずれか１項に記載のタッチ検出装置。
【請求項１３】
前記第１の駆動領域及び前記第２の駆動領域のうち、少なくとも１つに属する前記駆動電極及び前記検出電極を相互容量方式で駆動し、前記相互容量方式で駆動しない方に属する前記駆動電極及び前記検出電極を自己容量方式で駆動する、請求項１から請求項１２のいずれか１項に記載のタッチ検出装置。
【請求項１４】
請求項１から請求項１３のいずれか１項に記載のタッチ検出装置を備えたタッチ検出機能付き表示装置。
【請求項１５】
第１の方向に向かって延在し、かつ前記第１の方向と交差する第２の方向に向かって配列されて、対象物の接近及び接触の少なくとも一方を検出するための信号として駆動信号が印加される複数の駆動電極と、前記第２の方向に向かって延在し、かつ前記第１の方向に向かって配列されて、前記駆動電極との間に生じる静電容量の変化に対応した信号としての検出信号を出力する複数の検出電極と、を有し、前記第２の方向に配列され、かつ隣接する第１の駆動領域及び第２の駆動領域と、
隣接する前記第１の駆動領域と前記第２の駆動領域との間の境界と、
前記第１の駆動領域に含まれる第１の所定領域と前記第２の駆動領域に含まれる第２の所定領域と、を含むタッチ検出装置と、
前記タッチ検出装置と組み合わされた表示装置と、を有し、
前記第１の所定領域と前記第２の所定領域とが前記境界を挟んで向かい合い、前記表示装置の表示走査と前記タッチ検出装置のタッチ検出走査の方向とが異なる、タッチ検出機能付き表示装置。
【請求項１６】
請求項１から請求項１３のいずれか１項に記載のタッチ検出装置を備えた電子機器。
【発明の詳細な説明】
【技術分野】
【０００１】
本開示は、外部から接近する対象物を検出可能なタッチ検出装置、タッチ検出機能付き表示装置及び電子機器に関する。
【背景技術】
【０００２】
近年、いわゆるタッチパネルと呼ばれる、外部から接近する物体を対象物として検出可能なタッチ検出装置が注目されている。タッチ検出装置は、例えば、表示装置と組み合わされ、表示装置に各種の入力用の画像等を表示させることにより、情報を入力するための装置として用いられる。このように、タッチ検出装置を表示装置と組み合わせることにより、キーボード、マウス又はキーパッドのような入力装置を用いなくても情報の入力が可能になる。
【０００３】
タッチ検出装置の方式として、光学式、抵抗式、静電容量式等が存在する。静電容量式のタッチ検出装置は、比較的単純な構造であり、かつ低消費電力が実現できる。タッチ検出装置には、対象物の接近又は接触をできるだけ確実に検出することが求められる。タッチ検出装置としては、例えば、特許文献１に記載されたようなものが知られている。
【先行技術文献】
【特許文献】
【０００４】
【特許文献１】特開２００７−１７２０２８号公報
【発明の概要】
【発明が解決しようとする課題】
【０００５】
タッチ検出装置において、検出感度、位置検出精度及び検出速度（レポートレート）は、それぞれトレードオフの関係にある。すなわち、検出感度を向上させるためには、可能な限り多くの検出回路を設ける必要があり、位置検出精度を上げるためには、可能な限り多くの電極を設ける必要がある。多くの検出回路及び電極を設けると、検出時間及び駆動時間が長くなり、検出速度が遅くなる可能性がある。
【０００６】
本開示は、タッチ検出における良好な検出感度及び良好な位置検出精度を維持し、かつ検出速度の向上を図ることを目的とする。
【課題を解決するための手段】
【０００７】
本開示のタッチ検出装置は、第１の方向に向かって延在し、かつ前記第１の方向と交差する第２の方向に向かって配列されて、対象物の接近及び接触の少なくとも一方を検出するための信号として駆動信号が印加される複数の駆動電極と、前記第２の方向に向かって延在し、かつ前記第１の方向に向かって配列されて、前記駆動電極との間に生じる静電容量の変化に対応した信号としての検出信号を出力する複数の検出電極と、を有し、前記第２の方向に配列され、かつ隣接する第１の駆動領域及び第２の駆動領域と、隣接する前記第１の駆動領域と前記第２の駆動領域との間の境界と、前記第１の駆動領域に含まれる第１の所定領域と前記第２の駆動領域に含まれる第２の所定領域と、を有し、前記第１の所定領域と前記第２の所定領域とが前記境界を挟んで向かい合い、前記第１の所定領域に存在する駆動電極に駆動信号が印加されるタイミングでは、前記第２の駆動領域に存在する駆動電極への駆動信号の印加を停止し、前記第２の所定領域に駆動信号が印加されるタイミングでは、前記第１の駆動領域に存在する駆動電極への駆動信号の印加を停止する。また、本開示のタッチ検出機能付き表示装置及び電子機器は、このタッチ検出装置を備えている。
【０００８】
本開示に係るタッチ検出装置並びにこれを備えるタッチ検出機能付き表示装置及び電子機器は、第１の駆動領域に属する第１の所定領域又は第２の駆動領域に属する第２の所定領域の一方の駆動電極に駆動信号が印加された際に、その駆動電極の電場が境界を超えた場合でも、他の駆動領域は停止中であるため、他の駆動領域のタッチ検出動作に影響を及ぼす可能性を低くすることができる。その結果、本開示は、タッチ検出における良好な検出感度及び良好な位置検出精度を維持することができる。また、本開示は、第１の駆動領域及び第２の駆動領域に存在するそれぞれの駆動電極に対して同じタイミングで駆動信号を印加することができる。その結果、本開示は、タッチ検出装置全体におけるタッチ検出に要する時間を短縮できるので、検出速度の向上を図ることができる。
【発明の効果】
【０００９】
本開示によれば、タッチ検出における良好な検出感度及び良好な位置検出精度を維持し、かつ検出速度の向上を図ることができる。
【図面の簡単な説明】
【００１０】
【図１】図１は、実施形態１に係るタッチ検出装置の図である。
【図２】図２は、実施形態に係るタッチ検出装置を分解して示す斜視図である。
【図３】図３は、静電容量型タッチ検出方式の基本原理を説明するため、タッチ検出装置に指が接触又は近接していない状態を表す説明図である。
【図４】図４は、図３に示す指がタッチ検出装置に接触又は近接していない状態の等価回路の例を示す説明図である。
【図５】図５は、タッチ動作を検出する原理を説明するため、タッチ検出装置に指が接触又は近接した状態を表す説明図である。
【図６】図６は、図５に示す指がタッチ検出装置に接触又は近接した状態の等価回路の例を示す説明図である。
【図７】図７は、タッチ検出用信号及びタッチ検出信号の波形の一例を表す図である。
【図８Ａ】図８Ａは、実施形態１に係るタッチ検出装置の干渉部の一例を示す図である。
【図８Ｂ】図８Ｂは、実施形態１に係るタッチ検出装置の干渉部の他の例を示す図である。
【図９】図９は、駆動電極の各ブロックの駆動順序を示す図である。
【図１０】図１０は、実施形態１に係るタッチ検出装置の各駆動領域のうち、一方の駆動領域の干渉部が駆動されている様子を示す図である。
【図１１】図１１は、実施形態１に係るタッチ検出装置の各駆動領域のうち、他方の駆動領域の干渉部が駆動されている様子を示す図である。
【図１２】図１２は、実施形態２に係るタッチ検出装置において、複数のブロックが同時に駆動されている様子を示す図である。
【図１３】図１３は、実施形態２に係るタッチ検出装置において、複数のブロックが同時に駆動されている様子を示す図である。
【図１４】図１４は、実施形態３に係るタッチ検出装置を示す図である。
【図１５】図１５は、実施形態４に係るタッチ検出装置を示す図である。
【図１６】図１６は、実施形態５に係るタッチ検出装置を示す図である。
【図１７】図１７は、実施形態５に係るタッチ検出装置を示す図である。
【図１８】図１８は、実施形態６に係るタッチ検出機能付き表示装置のブロック図である。
【図１９】図１９は、タッチ検出機能付き表示装置を実装したモジュールの一例を示す図である。
【図２０】図２０は、タッチ検出機能付き表示装置を実装したモジュールの一例を示す図である。
【図２１】図２１は、タッチ検出機能付き表示デバイスの概略断面構造を表す断面図である。
【図２２】図２２は、タッチ検出機能付き表示デバイスの画素配列を表す回路図である。
【図２３】図２３は、実施形態６に係るタッチ検出機能付き表示装置の一動作例を表すタイミング波形図である。
【図２４】図２４は、変形例に係るタッチ検出機能付き表示装置を実装したモジュールの一例を示す図である。
【図２５】図２５は、本開示に係るタッチ検出装置が適用された電子機器の一例を示す図である。
【図２６】図２６は、本開示に係るタッチ検出装置が適用された電子機器の一例を示す図である。
【図２７】図２７は、本開示に係るタッチ検出装置が適用された電子機器の一例を示す図である。
【図２８】図２８は、本開示に係るタッチ検出装置が適用された電子機器の一例を示す図である。
【図２９】図２９は、本開示に係るタッチ検出装置が適用された電子機器の一例を示す図である。
【図３０】図３０は、本開示に係るタッチ検出装置が適用された電子機器の一例を示す図である。
【図３１】図３１は、本開示に係るタッチ検出装置が適用された電子機器の一例を示す図である。
【発明を実施するための形態】
【００１１】
本開示を実施するための形態（実施形態）につき、図面を参照しつつ、次に示す順序で詳細に説明する。
１．実施形態
１−１．実施形態１
１−２．実施形態２
１−３．実施形態３
１−４．実施形態４
１−５．実施形態５
１−６．実施形態６
２．適用例
３．本開示の構成
【００１２】
１．実施形態
＜１−１．実施形態１＞
図１は、実施形態１に係るタッチ検出装置の図である。図２は、実施形態に係るタッチ検出装置を分解して示す斜視図である。タッチ検出装置１は、いわゆる静電容量方式の装置である。タッチ検出装置１は、複数の駆動電極ＣＯＭＬと、複数の駆動電極ＣＯＭＬと交差（立体交差を含む）して設けられた複数の検出電極としてのタッチ検出電極ＴＤＬとを有している。複数の駆動電極ＣＯＭＬは、１つの平面に配列される。複数のタッチ検出電極ＴＤＬは、複数の駆動電極ＣＯＭＬが配列される平面とは異なる平面に配列される。複数の駆動電極ＣＯＭＬが配置される平面及び複数の駆動電極ＣＯＭＬが配列される平面と平行な平面をＸ−Ｙ平面とする。Ｘ−Ｙ平面は、Ｘ軸及びＹ軸を座標軸とし、これらによって規定される平面である。Ｘ軸とＹ軸とは直交している。Ｘ軸及びＹ軸と直交する軸をＺ軸とする。
【００１３】
それぞれの駆動電極ＣＯＭＬは、第１の方向（本実施形態ではＸ軸方向）に向かって延在し、かつ第１の方向と交差する第２の方向（本実施形態ではＹ軸方向）に向かって配列される。それぞれの駆動電極ＣＯＭＬは、対象物の接近及び接触の少なくとも一方を検出するための信号として駆動信号Ｖｃｏｍが印加される。駆動信号Ｖｃｏｍは、それぞれの駆動電極ＣＯＭＬと電気的に接続される駆動部５３が印加する。駆動部５３は、制御部１１によって制御される。本実施形態において、第１の方向と第２の方向とは直交しているが、これに限定されず、両者は交差していればよい。
【００１４】
複数のタッチ検出電極ＴＤＬは、第２の方向（本実施形態ではＹ軸方向）に向かって延在し、かつ第１の方向（本実施形態ではＸ軸方向）に向かって配列される。それぞれのタッチ検出電極ＴＤＬは、複数の駆動電極ＣＯＭＬと所定の間隔をもって交差、すなわち立体交差している。複数のタッチ検出電極ＴＤＬは、駆動電極ＣＯＭＬとの間に生じる静電容量の変化に対応した信号として検出信号（以下、タッチ検出信号という）Ｖｄｅｔを出力する。以下において、第１の方向を適宜Ｘ方向といい、第２の方向を適宜Ｙ方向という。
【００１５】
本実施形態において、それぞれの駆動電極ＣＯＭＬ及びそれぞれのタッチ検出電極ＴＤＬは、平面視、すなわち、Ｚ軸方向から見た場合において、長方形である。駆動電極ＣＯＭＬは、Ｘ方向の寸法がＹ方向の寸法よりも大きい。タッチ検出電極ＴＤＬは、Ｙ方向の寸法がＸ方向の寸法よりも大きい。駆動電極ＣＯＭＬ及びタッチ検出電極ＴＤＬの形状は長方形に限定されるものではない。
【００１６】
駆動電極ＣＯＭＬとタッチ検出電極ＴＤＬの電極パターンとが交差する部分には、静電容量が生じる。それぞれのタッチ検出電極ＴＤＬは、タッチ検出部４０の入力部にそれぞれ電気的に接続されている。図１において、説明の便宜上、タッチ検出部４０は２つに分かれているが、１つであってもよいし複数であってもよい。タッチ検出部４０は、制御部１１によって制御される。タッチ検出電極ＴＤＬと駆動電極ＣＯＭＬとが交差する部分の静電容量の変化は、タッチ検出信号Ｖｄｅｔとしてタッチ検出部４０に入力される。タッチ検出部４０は、駆動電極ＣＯＭＬとタッチ検出電極ＴＤＬとが交差する部分のうち、静電容量が変化した部分をタッチ検出信号Ｖｄｅｔに基づいて検出する。タッチ検出部４０は、タッチ検出信号Ｖｄｅｔに基づき、対象物がタッチ検出装置１に接触又は近接した位置を特定する。以下において、対象物がタッチ検出装置１に接触又は近接することを、適宜タッチという。
【００１７】
本実施形態では、駆動電極ＣＯＭＬとタッチ検出電極ＴＤＬとが立体交差し、両者が対向する部分の静電容量の変化に基づきタッチを検出するが、静電容量が発生する位置は、両者が対向する部分に限定されるものではない。例えば、タッチ検出装置１は、駆動電極ＣＯＭＬから引き出された導体と、タッチ検出電極ＴＤＬから引き出された導体とを同一平面に配置し、両方の導体の間に発生する静電容量に基づきタッチを検出してもよい。すなわち、タッチ検出装置１は、駆動電極ＣＯＭＬとタッチ検出電極ＴＤＬとの間に発生する静電容量に基づいてタッチを検出すればよい。次に、タッチ検出装置１がタッチを検出する原理の一例を説明する。
【００１８】
（静電容量型タッチ検出の基本原理）
図３は、静電容量型タッチ検出方式の基本原理を説明するため、タッチ検出装置に指が接触又は近接していない状態を表す説明図である。図４は、図３に示す指が接触または近接していない状態の等価回路の例を示す説明図である。図５は、タッチ動作を検出する原理を説明するため、タッチ検出装置に指が接触又は近接した状態を表す説明図である。図６は、図５に示す指がタッチ検出装置に接触又は近接した状態の等価回路の例を示す説明図である。図７は、タッチ検出用信号及びタッチ検出信号の波形の一例を表す図である。タッチ検出デバイス３０は、静電容量型タッチ検出の基本原理に基づいて動作し、タッチ検出信号Ｖｄｅｔを出力する。図１〜図６を参照して、本実施形態のタッチ検出装置１におけるタッチ検出の基本原理について説明する。
【００１９】
例えば、図３及び図５に示すように、容量素子Ｃ１は、誘電体Ｄを挟んで互いに対向配置された一対の電極、駆動電極Ｅ１及びタッチ検出電極Ｅ２を備えている。図４及び図６に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば積分回路である。
【００２０】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２１】
指が接触（または近接）していない状態（非接触状態）では、図３及び図４に示すように、容量素子Ｃ１に対する充放電に伴って、容量素子Ｃ１の容量値に応じた電流Ｉ０が流れる。図７に示すように、電圧検出器ＤＥＴは、交流矩形波Ｓｇに応じた電流Ｉ０の変動を電圧の変動（実線の波形Ｖ０）に変換する。
【００２２】
一方、指が接触（または近接）した状態（接触状態）では、図５に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図６に示す等価回路でみると、容量素子Ｃ１’に電流Ｉ１が流れる。図７に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部からの近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間ＲＥＳＥＴを設けた動作とすることがより好ましい。タッチ検出装置１がタッチを検出する原理はこれに限定されるものではない。
【００２３】
図１８に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査して又は複数のブロックを同時に走査して、タッチ検出を行うようになっている。
【００２４】
タッチ検出デバイス３０は、複数の後述するタッチ検出電極ＴＤＬから、図５又は図６に示す電圧検出器ＤＥＴを介して、タッチ検出信号Ｖｄｅｔを出力し、タッチ検出部４０のアナログＬＰＦ部４２に供給するようになっている。
【００２５】
Ａ／Ｄ変換部４３は、駆動信号Ｖｃｏｍに同期したタイミングで、アナログＬＰＦ部４２から出力されるアナログ信号をそれぞれサンプリングしてデジタル信号に変換する回路である。
【００２６】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による電圧の差分のみ取り出す処理を行う。この指による電圧の差分は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による電圧の差分を所定のしきい値電圧と比較し、電圧の差分がこのしきい値電圧以上であれば、外部から近接する外部近接物体が接触状態と判断し、電圧の差分がしきい値電圧未満であれば、外部近接物体の非接触状態と判断する。このようにして、タッチ検出部４０はタッチ検出が可能となる。
【００２７】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００２８】
次に、タッチ検出装置１が含む複数の駆動領域Ｌ、Ｒについて説明する。本実施形態において、タッチ検出装置１は、２個の駆動領域Ｌ、Ｒを含むが、これらの数は２個に限定されるものではない。それぞれの駆動領域Ｌ、Ｒは、複数の駆動電極ＣＯＭＬと、複数のタッチ検出電極ＴＤＬとを有している。駆動領域Ｌは、符号Ｌ０〜Ｌｍ（ｍは整数）で示す複数の駆動電極ＣＯＭＬを有している。駆動領域Ｒは、符号Ｒ０〜Ｒｎ（ｎは整数）で示す複数の駆動電極ＣＯＭＬを有している。以下において、駆動電極ＣＯＭＬを、適宜ブロックＬ０〜Ｌｍ、Ｒ０〜Ｒｎというものとする。駆動領域Ｌ、Ｒ及びタッチ検出電極ＴＤＬの数は限定されるものではない。
【００２９】
駆動領域Ｌ、Ｒは、Ｙ方向に向かって並んでいる。駆動領域Ｌと駆動領域Ｒとは、境界６５で区画されている。境界６５は、駆動領域Ｌの駆動領域Ｒと隣接する部分に配置されるブロックＬ１１と、駆動領域Ｒの駆動領域Ｌと隣接する部分に配置されるブロックＲ１１との間の部分である。駆動領域Ｌ、Ｒは、制御部１１によってそれぞれ独立に駆動される。制御部１１は、駆動部５３を介して駆動信号Ｖｃｏｍを駆動領域Ｌ、Ｒに対して別個独立に印加する。そして、制御部１１は、それぞれの駆動領域Ｌ、Ｒに存在する駆動電極ＣＯＭＬのブロックＬ０〜Ｌｍ、Ｒ０〜Ｒｎを、駆動領域Ｌ、Ｒ毎に独立して駆動する。例えば、制御部１１は、駆動部５３を介して、駆動領域ＬのブロックＬ０からＬ１１に向かって順に駆動信号Ｖｃｏｍを印加するとともに、駆動領域ＲのブロックＲ０からＲ１１に向かって順に駆動信号Ｖｃｏｍを印加する。このとき、制御部１１は、駆動領域ＬのブロックＬ０と駆動領域ＲのブロックＲ０とに、同時に駆動信号Ｖｃｏｍを印加する。
【００３０】
タッチ検出装置１は、タッチ検出時に駆動領域Ｒ及び駆動領域Ｌの各ブロックＲ０〜Ｒｎ及び各ブロックＬ０〜Ｌｍを順次駆動する。しかし、制御部１１が駆動領域Ｒと駆動領域Ｌとの境界６５の近傍に存在するブロック（例えば、ブロックＬｍ、Ｒｍ等、以下において、ブロックＬｍ、Ｒｍを適宜ブロックＬ１１、Ｒ１１という）に駆動信号Ｖｃｏｍを印加すると、図１の矢印で示すように、駆動領域Ｒと駆動領域Ｌとの境界６５近傍のブロック（本例ではブロックＬ１１、Ｒ１１）の電場が駆動領域Ｒと駆動領域Ｌとの境界６５を超えることがある。その結果、タッチ検出部４０及び制御部１１は、駆動電極ＣＯＭＬの、どのブロックに対応するタッチ検出信号Ｖｄｅｔなのかを特定することが困難になる可能性がある。
【００３１】
例えば、制御部１１が図１に示す駆動領域ＲのブロックＲ１１及び駆動領域ＬのブロックＬ１１を駆動した場合、図１中の矢印で示すように、ブロックＲ１１の電場は、同じ駆動領域ＲのブロックＲ１０及び隣接する駆動領域ＬのブロックＬ１１まで影響を及ぼす。タッチ検出部４０及び制御部１１がブロックＬ１１におけるタッチを検出する場合、ブロックＬ１１に隣接するブロックＲ１１からの電場の影響により、ブロックＬ１１に対するタッチが存在しないにも関わらず、駆動領域Ｌのタッチ検出電極ＴＤＬが信号を出力することがある。この信号を受信したタッチ検出部４０及び制御部１１は、ブロックＬ１１に対するタッチが存在しないにも関わらず、ブロックＬ１１に対するタッチがあったと判断する可能性がある。このように、２つの駆動領域Ｌ、Ｒが独立して駆動され、２つの駆動領域Ｌ、Ｒで同時にタッチを検出するタッチ検出装置１は、境界６５の近傍に配置されたブロックＬ１１、Ｒ１１等に対するタッチを検出する際に、駆動領域Ｌ、Ｒのうちいずれの静電容量の変化かを特定することが困難になる結果、タッチを誤検出する可能性がある。図１に示す駆動領域ＬのブロックＬ１１に駆動信号Ｖｃｏｍが印加された場合も同様である。
【００３２】
タッチ検出装置１は、駆動領域（第１の駆動領域）Ｌと駆動領域（第２の駆動領域）Ｒとの境界６５の近傍に存在する駆動電極ＣＯＭＬであって、他の駆動電極ＣＯＭＬの電場の影響が及ぶ範囲である干渉部６６と、干渉部６６以外の駆動電極ＣＯＭＬである独立部６７Ｌ、６７Ｒとを有する。干渉部６６は、隣接する駆動領域Ｌ、Ｒ同士の境界６５から第２の方向であるＹ方向に向かう所定領域である。すなわち、干渉部６６は、それぞれの駆動領域Ｌ、Ｒに存在する。駆動領域Ｌの干渉部６６は第１の所定領域に相当し、駆動領域Ｒの干渉部６６は第２の所定領域に対応する。駆動領域Ｌ側の干渉部６６と駆動領域Ｒ側の干渉部６６とは、境界６５を挟んで向かい合っている。
【００３３】
図１に示す例では、タッチ検出装置１は、駆動領域Ｌ、Ｒの境界６５を基準として、駆動領域Ｒ側の所定の範囲及び駆動領域Ｌ側の所定の範囲に存在する計６個の駆動電極ＣＯＭＬを干渉部６６としている。具体的には、タッチ検出装置１は、駆動領域Ｒの駆動電極ＣＯＭＬのうち、境界６５の近傍に位置するブロックＲ９〜ブロックＲ１１の計３つを干渉部６６としている。また、タッチ検出装置１は、ブロックＲ０〜ブロックＲ８を独立部６７Ｒとしている。同様に、タッチ検出装置１は、駆動領域Ｌの駆動電極ＣＯＭＬのうち、境界６５の近傍に位置するブロックＬ９〜ブロックＬ１１の計３つを干渉部６６とし、ブロックＬ０〜ブロックＬ８を独立部６７Ｌとしている。
【００３４】
この例では、タッチ検出装置１は、各駆動領域Ｌ、Ｒに対して、各駆動領域Ｌ、Ｒの境界６５を基準とした計６個の駆動電極ＣＯＭＬ、すなわち、各駆動領域Ｌ、Ｒに対して３個ずつの駆動電極ＣＯＭＬを干渉部６６としたが、干渉部６６のＹ方向における範囲は、境界６５近傍の駆動電極ＣＯＭＬの電場が影響する範囲に応じて決定される。例えば、境界６５の近傍に存在する駆動電極ＣＯＭＬに駆動信号Ｖｃｏｍが印加された場合、駆動信号Ｖｃｏｍが印加された駆動電極ＣＯＭＬの発生する電場が、境界６５を超えて、隣接する駆動領域に影響を及ぼす範囲を、干渉部６６のＹ方向における範囲とすることができる。駆動電極ＣＯＭＬが発生する電場が隣接する駆動領域に影響を及ぼす範囲とは、例えば、隣接する駆動領域に存在するタッチ検出電極ＴＤＬの出力するタッチ検出信号Ｖｄｅｔに混入する、駆動電極ＣＯＭＬが発生する電場に起因する信号が、タッチに対応するタッチ検出信号Ｖｄｅｔをタッチ検出部４０及び制御部１１が検出することを妨げる範囲とすることができる。駆動電極ＣＯＭＬが発生する電場が隣接する駆動領域に影響を及ぼす範囲は、例えば境界６５を基準とし、それぞれの駆動領域Ｌ、Ｒにおいて、境界６５からＹ方向に向かって離れる方向に２個分の駆動電極ＣＯＭＬとすることができる。
【００３５】
図８Ａは、実施形態１に係るタッチ検出装置の干渉部の一例を示す図である。図８Ｂは、実施形態１に係るタッチ検出装置の干渉部の他の例を示す図である。干渉部６６は、１つの駆動領域において、少なくとも、第２の方向としてのＹ方向における駆動電極ＣＯＭＬの寸法の１／２以上であればよい。例えば、図８Ａに示すように、例えば境界６５を基準とし、それぞれの駆動領域Ｌ、Ｒにおいて、境界６５からＹ方向に向かって離れる方向に２個分の駆動電極ＣＯＭＬを干渉部６６とすることができる。また、例えば、図８Ｂに示すように、例えば境界６５を基準とし、それぞれの駆動領域Ｌ、Ｒにおいて、境界６５からＹ方向に向かって離れる方向に１．５個分の駆動電極ＣＯＭＬを干渉部６６としてもよい。複数の駆動電極ＣＯＭＬを束ねて駆動する場合、干渉部６６は、同時に駆動される複数の駆動電極ＣＯＭＬのＹ方向における寸法の１／２以上であればよい。
【００３６】
駆動領域Ｌ、Ｒは、それぞれ同一の大きさ（同一の面積）とすることが好ましい。また、駆動領域Ｌ、Ｒの境界６５は、各ブロックＬ０〜Ｌｍ及びＲ０〜Ｒｎに対して平行としたり、タッチ検出電極ＴＤＬに対して直交させたりすることが好ましい。各駆動領域Ｌ、Ｒを、それぞれ同一の大きさとし、また、境界６５を各ブロックＬ０〜Ｌｍ及びＲ０〜Ｒｎに対して平行とし、境界６５をタッチ検出電極ＴＤＬに対して直交させることで、タッチ検出装置１の回路を設計する場合に、境界６５に対して対称の回路設計とすることができるので、タッチ検出装置１を合理的に設計することができる。
【００３７】
隣接する駆動領域Ｌ、Ｒ同士において、それぞれの駆動領域Ｌ、Ｒに属するそれぞれのタッチ検出電極ＴＤＬは、境界６５側の第２の方向としてのＹ方向における位置が同一であることが好ましい。このようにすることで、それぞれのタッチ検出電極ＴＤＬから一定の距離の範囲を干渉部６６としたときに、干渉部６６が最少、かつ独立部６７Ｌ、６７Ｒを最大とすることができる。また、レポートレートの改善を最も効率よく行うこともできる。次に、タッチ検出装置１の動作について説明する。
【００３８】
図９は、駆動電極の各ブロックの駆動順序を示す図である。図１０は、実施形態１に係るタッチ検出装置の各駆動領域のうち、一方の駆動領域の干渉部が駆動されている様子を示す図である。図１１は、実施形態１に係るタッチ検出装置の各駆動領域のうち、他方の駆動領域の干渉部が駆動されている様子を示す図である。本実施形態において、制御部１１は、隣接する駆動領域Ｌ、Ｒ同士の境界６５からＹ方向に向かう干渉部６６に存在する駆動電極ＣＯＭＬに駆動信号Ｖｃｏｍを印加するタイミングでは、複数の駆動領域Ｌ、Ｒのうち干渉部６６と隣接する駆動領域に存在し、かつ駆動信号Ｖｃｏｍが印加される駆動電極以外の駆動電極ＣＯＭＬへの駆動信号Ｖｃｏｍの印加を停止する。この動作をより具体的に説明する。
【００３９】
図１に示したタッチ検出装置１の場合、駆動領域ＲのブロックＲ０〜ブロックＲ８は独立部６７Ｒであり、ブロックＲ９〜ブロックＲ１１は干渉部６６である。駆動領域ＬのブロックＬ０〜ブロックＬ８は独立部６７Ｌであり、ブロックＬ９〜ブロックＬ１１は干渉部６６である。制御部１１は、タッチ検出時に、各駆動領域Ｌ、Ｒの独立部６７Ｌ、６７Ｒに存在するブロックＲ０〜ブロックＲ８及びブロックＬ０〜ブロックＬ８を、図９に示す順序で駆動、すなわち、駆動信号Ｖｃｏｍを印加する。
【００４０】
次に、制御部１１は、例えば、駆動領域Ｌの干渉部６６のブロック（本実施形態ではブロックＬ９、Ｌ１０、Ｌ１１）を駆動する順番になったら、駆動領域Ｌの干渉部６６と隣接する駆動領域Ｒに存在するすべてのブロック（本実施形態ではブロックＲ０〜Ｒｎ）の駆動を停止、すなわち、駆動信号Ｖｃｏｍの印加を停止する。タッチ検出装置１は、駆動領域Ｒの駆動を停止、すなわち、駆動領域Ｒが有するすべての駆動電極ＣＯＭＬに対する駆動信号Ｖｃｏｍの印加を停止した上で、図１０に示すように駆動領域Ｌの干渉部６６のブロックＬ９、ブロックＬ１０、ブロックＬ１１をこの順に駆動する。
【００４１】
このような動作によって、駆動領域Ｌの干渉部６６のブロックＬ９〜Ｌ１１が駆動されるタイミングでは、駆動領域Ｒの駆動が停止された上で、駆動領域Ｌの干渉部６６のブロックＬ９〜Ｌ１１のみが駆動される。制御部１１及び駆動部５３は、図１１に示すように、干渉部６６となっている駆動領域ＬのブロックＬ９〜ブロックＬ１１の駆動が完了すると、駆動が停止されていた駆動領域Ｒの干渉部６６に存在する各ブロックＲ９、Ｒ１０、Ｒ１１を駆動する。このようにして、駆動領域Ｌの独立部６７Ｌ及び干渉部６６並びに駆動領域Ｒの独立部６７Ｒ及び干渉部６６の各ブロックＬ０〜Ｌｍ、Ｒ０〜Ｒｎが駆動されたら、制御部１１は、駆動領域Ｌの独立部６７ＬのブロックＬ０及び駆動領域Ｒの独立部６７ＲのブロックＲ０から順に駆動する。
【００４２】
この例において、制御部１１は、駆動領域Ｌの独立部６７Ｌ及び駆動領域Ｒの独立部６７Ｒの各ブロックＬ０〜Ｌ８、Ｒ０〜Ｒ８を並行して駆動した後、駆動領域Ｌの干渉部６６の各ブロックＬ９、Ｌ１０、Ｌ１１を駆動し、その後、各ブロックＲ９、Ｒ１０、Ｒ１１を駆動した。このような駆動順序に限定されるものではなく、制御部１１は、駆動領域Ｒの干渉部６６の各ブロックＲ９、Ｒ１０、Ｒ１１を駆動し、その後、駆動領域Ｌの干渉部６６の各ブロックＬ９、Ｌ１０、Ｌ１１を駆動してもよい。
【００４３】
このように、制御部１１は、独立部６７Ｌ、６７Ｒの駆動時に各駆動領域Ｌ、Ｒの各ブロックＬ０〜Ｌｍ、Ｒ０〜Ｒｎをそれぞれ駆動領域Ｌ、Ｒ毎に別個に駆動する。そして、制御部１１は、いずれか一方の駆動領域の干渉部６６に存在するブロックを駆動するタイミングで、他方の駆動領域に存在するブロックの駆動を停止する。そして、タッチ検出装置１は、一方の駆動領域の干渉部６６に存在するブロックの駆動が完了した後に、他方の干渉部６６に存在するブロックを駆動する。このため、タッチ検出装置１は、一方の駆動領域において駆動領域Ｌ、Ｒの境界６５に隣接する干渉部６６のブロックが駆動された際に、駆動されたブロックの電場が境界６５を超えた場合でも、他方の駆動領域は停止中であるため、他方の駆動領域のタッチ検出動作に影響を及ぼす可能性を低くすることができる。その結果、タッチ検出装置１は、駆動しているブロック及び静電容量の値が変化した位置を正確に特定して、タッチの位置を検出することができる。また、タッチ検出装置１は、独立部６７Ｌ、６７Ｒの各ブロックを、各駆動領域Ｌ、Ｒ毎にそれぞれ並行して駆動するため、各ブロックを時分割で順次駆動しても、高速ですべてのブロックの駆動を完了することができる。このため、タッチ検出におけるレポートレートの向上を図ることができる。
【００４４】
本実施形態においては、図９に示すように、各駆動領域Ｌ、Ｒの独立部６７Ｌ、６７Ｒに相当する各ブロックＬ０〜Ｌ８、Ｒ０〜Ｒ８について、それぞれの駆動領域Ｌ、Ｒのタッチ検出電極ＴＤＬから出力ＯＵＴ＿Ｌ、ＯＵＴ＿Ｒが得られた場合、制御部１１は、これらをそれぞれの駆動領域Ｌ、Ｒ毎にタッチ検出信号Ｖｄｅｔとして用いる。制御部１１は、駆動領域Ｌの干渉部６６に存在する各ブロックＬ９、Ｌ１０、Ｌ１１をそれぞれ駆動する場合、駆動領域Ｌのタッチ検出電極ＴＤＬの出力ＯＵＴ＿Ｌと駆動領域Ｒのタッチ検出電極ＴＤＬの出力ＯＵＴ＿Ｒとを加算した値をタッチ検出信号Ｖｄｅｔとして用いる。また、制御部１１は、駆動領域Ｒの干渉部６６に存在する各ブロックＲ９、Ｒ１０、Ｒ１１をそれぞれ駆動する場合も、駆動領域Ｒのタッチ検出電極ＴＤＬの出力と駆動領域Ｌのタッチ検出電極ＴＤＬの出力とを加算した値をタッチ検出信号Ｖｄｅｔとして用いる。このようにすることで、駆動信号Ｖｃｏｍが印加された駆動電極ＣＯＭＬの電場の影響を打ち消して、タッチの検出精度を向上させることができる。
【００４５】
干渉部６６の駆動電極ＣＯＭＬを駆動するときには、隣接する領域のタッチ検出電極ＴＤＬの出力を加算することで、干渉部の駆動電極ＣＯＭＬが隣の駆動領域のタッチ検出電極ＴＤＬに及ぼす電場も含め検出できる。その結果、検出精度及び感度が向上する。独立領域の駆動電極ＣＯＭＬを駆動するときには、隣接領域のタッチ検出電極ＴＤＬへの電場の影響が無視できる程度小さいため、加算する必要がない。
【００４６】
干渉部の駆動電極ＣＯＭＬを駆動する場合に駆動領域Ｌのタッチ検出電極ＴＤＬの出力と駆動領域Ｒのタッチ検出電極ＴＤＬの出力とを加算すると上述した効果が得られる。本実施形態において、これらを必ず加算する必要はなく、駆動領域Ｌの干渉領域の駆動電極ＣＯＭＬが駆動される場合には、駆動領域Ｌのタッチ検出電極ＴＤＬのみを検出してもよい。また、駆動領域Ｒの干渉領域の駆動電極ＣＯＭＬが駆動される場合には駆動領域Ｒのタッチ検出電極ＴＤＬのみを検出してもよい。
【００４７】
タッチ検出装置を液晶表示デバイスの中に組み込むことで、いわゆるインセル型のタッチ検出機能付き表示装置を形成した場合、インセル型のタッチ検出機能付き表示装置は、１水平期間内又は１垂直期間内等の所定の期間内に表示期間及びタッチ検出期間を別々に設けて実行する必要がある。このため、インセル型のタッチ検出機能付き表示装置は、タッチ検出におけるレポートレートが遅延するおそれがある。しかし、このタッチ検出装置１の場合、各駆動領域Ｌ、Ｒ毎にそれぞれ並行して駆動して高速ですべてのブロックの駆動を完了することができるため、タッチ検出装置１をインセル型のタッチ検出機能付き表示装置に適用した場合でも、タッチ検出におけるレポートレートの向上を図ることができる。
【００４８】
＜１−２．実施形態２＞
実施形態２となるタッチ検出装置１Ａの説明をする。実施形態１のタッチ検出装置１は、各駆動領域Ｌ、Ｒの独立部６７Ｌ、６７Ｒのブロックの駆動時及び干渉部６６のブロックの駆動時のいずれにおいても駆動領域Ｌ内又は駆動領域Ｒ内で同時に駆動するブロックは一つのブロックのみとしている。これに対して、次に説明する実施形態２のタッチ検出装置１Ａでは、制御部１１が、複数の駆動領域Ｌ、Ｒのうち、少なくとも１つの駆動領域において、駆動信号Ｖｃｏｍを複数の駆動電極ＣＯＭＬのうち少なくとも２つに対して同時に印加して、同時に複数のブロックを駆動する。説明する実施形態２のタッチ検出装置と上述の実施形態１Ａのタッチ検出装置１は、この点のみが異なるため、この差異のみを説明し、重複した説明は省略する。
【００４９】
図１２、図１３は、実施形態２に係るタッチ検出装置１Ａにおいて、複数のブロックが同時に駆動されている様子を示す図である。図１２、図１３は、駆動中のブロックを斜線で示している。図１２に示すように、タッチ検出装置１Ａ（具体的には制御部１１）は、各駆動領域Ｒの独立部６７Ｒのブロックを駆動する際に、駆動電極ＣＯＭＬに対して１つずつ駆動信号Ｖｃｏｍを印加して、駆動領域ＲのブロックをブロックＲ０→ブロックＲ１→ブロックＲ２・・・のように、１つのブロックずつ順次駆動する。また、タッチ検出装置１Ａは、駆動領域Ｌの独立部６７Ｌのブロックを駆動する際には、駆動電極ＣＯＭＬに対して２つずつ駆動信号Ｖｃｏｍを印加して、駆動領域ＬのブロックをブロックＬ０及びブロックＬ１→ブロックＬ２及びブロックＬ３→ブロックＬ４及びブロックＬ５・・・のように、２つのブロックずつ順次駆動する。
【００５０】
このようにすることで、タッチ検出装置１Ａは、駆動領域Ｌ内において、駆動するブロックの数を増やすことができるため、タッチ検出時のレポートレート及び感度のさらなる向上を実現できる。本実施形態において、制御部１１は、駆動領域Ｌ内において、２つのブロックずつ駆動することとしたが、駆動領域Ｒ内において、２つのブロックずつ駆動してもよい。また、駆動領域Ｌ内において、３つ又は４つ等のブロックずつ駆動してもよいし、駆動領域Ｌ及び駆動領域Ｒの各駆動領域で、それぞれ複数のブロックずつ駆動してもよい。この場合も、タッチ検出時のレポートレート及び感度の向上を実現できる。
【００５１】
タッチ検出装置１Ａは、各駆動領域Ｌ、Ｒ内において、１つのブロックずつ又は複数のブロックずつ駆動するのであるが、いずれかの駆動領域Ｌ、Ｒ内において、干渉部６６のブロックの駆動を行うタイミングで、他方の駆動領域に存在するブロックの駆動を停止する。図１３は、駆動領域Ｒ内において、２つのブロックずつ駆動される例を示している。図１３から分かるように、タッチ検出装置１Ａは、駆動領域Ｒの干渉部６６の駆動を開始すると、駆動領域Ｌのブロックの駆動を停止する。同様に、タッチ検出装置１Ａは、駆動領域Ｌの干渉部６６の駆動を開始すると、駆動領域Ｒのブロックの駆動を停止する。タッチ検出装置１Ａは、このように制御することにより、干渉部６６のブロックを駆動した際に、駆動領域Ｌ、Ｒの境界６５を超えた電場がタッチ検出に与える影響を低減することができる。その結果、タッチ検出装置１Ａは、駆動しているブロック及び静電容量の値が変化した位置を正確に特定して、タッチの位置を検出することができる等、実施形態１と同様の効果を得ることができる。
【００５２】
＜１−３．実施形態３＞
図１４は、実施形態３に係るタッチ検出装置を示す図である。実施形態１のタッチ検出装置１及び実施形態２のタッチ検出装置１Ａは、独立部６７Ｌ、６７Ｒの各ブロックの駆動を開始するための第１のスタート信号、干渉部６６の各ブロックの駆動を開始制御するための第２のスタート信号等といった、駆動電極ＣＯＭＬを駆動するための複数種類の信号を必要とする。これに対して、次に説明する実施形態３のタッチ検出装置は、１種類のスタート信号と、１種類のクロックとで各駆動領域の独立部及び干渉部の各ブロックの駆動を可能としたものである。実施形態３のタッチ検出装置は、基板の表面にスキャナー又はシフトレジスタ等の転送回路を設ける際に適している。次に説明する実施形態３と実施形態１及び実施形態２とは、この点のみが異なるため、次においてはこの差異のみを説明し、重複した説明は省略する。
【００５３】
図１４に示すように、タッチ検出装置１Ｂは、各駆動領域Ｌ、Ｒに相当する駆動領域として第１の駆動領域５１と、Ｘ方向側で第１の駆動領域５１と隣接する第２の駆動領域５２とを有している。第１の駆動領域５１と第２の駆動領域５２とが複数の駆動領域に相当する。第１の駆動領域５１には、各ブロックを個別に駆動するため、駆動部として一対の第１の駆動部５３Ａが設けられている。第２の駆動領域５２には、各ブロックを個別に駆動するため、駆動部として一対の第２の駆動部５３Ｂが設けられている。第１の駆動部５３Ａ及び第２の駆動部５３Ｂは、制御部１１によって制御される。例えば、第２の駆動部５３Ｂは制御部１１からのスタート信号と転送クロックとによって制御されるシフトレジスタを含む。
【００５４】
タッチ検出装置１Ｂでは、第１の駆動領域５１と第２の駆動領域５２との境界７０から第１の駆動領域５１側に向かって所定数分（本実施形態では３個分）の駆動電極ＣＯＭＬに相当する領域を所定領域、すなわち干渉部７１とする。タッチ検出装置１Ｂでは、第１の駆動領域５１に属する複数の駆動電極ＣＯＭＬの数が、第２の駆動領域５２に属する複数の駆動電極ＣＯＭＬの数よりも多い。第１の駆動領域５１の干渉部７１に属する駆動電極ＣＯＭＬは、ブロック５５、５６、５７である。第１の駆動領域５１では、干渉部７１以外の部分が独立部７２となる。第２の駆動領域５２は、すべてが独立部７３となる。第２の駆動領域５２の独立部７３が有する駆動電極ＣＯＭＬの数、すなわち、第２の駆動領域５２が有するブロックの数は、第１の駆動領域５１の独立部７２が有する駆動電極ＣＯＭＬの数、すなわちブロックの数と同数となっている。
【００５５】
制御部１１は、第１の駆動領域５１に属する複数の駆動電極ＣＯＭＬのうち、Ｘ方向において境界７０から最も遠い駆動電極ＣＯＭＬから境界７０側の駆動電極ＣＯＭＬに向かって順に駆動信号Ｖｃｏｍを印加し、かつ第２の駆動領域５２に属する複数の駆動電極ＣＯＭＬのうち、境界７０に最も近い駆動電極ＣＯＭＬからＸ方向において境界７０から離れた駆動電極ＣＯＭＬに向かって順に駆動信号Ｖｃｏｍを印加することを繰り返す。タッチ検出装置１Ｂは、第１の駆動領域５１の独立部７２及び第２の駆動領域５２の独立部７３に存在するブロック（駆動電極ＣＯＭＬ）の駆動が終了し、第１の駆動領域５１の干渉部７１に存在するブロック５５〜５７（駆動電極ＣＯＭＬ）の駆動が開始されるときには、第２の駆動部５３Ｂが備えるシフトレジスタは転送し切っていることになる。このため、第２の駆動領域５２に駆動対象となるブロック（駆動電極ＣＯＭＬ）は存在しないこととなる。
【００５６】
第２の駆動部５３Ｂが備えるシフトレジスタが転送し切ると、いずれの駆動電極ＣＯＭＬも選択されない状態になり、駆動信号Ｖｃｏｍ（パルス）はどの駆動電極ＣＯＭＬにも印加されない状態となる。結果として、第２の駆動部５３が備えるシフトレジスタは動作しない。
【００５７】
このように、タッチ検出装置１Ｂでは、第１の駆動領域５１のみが干渉部７１を有し、第１の駆動領域５１及び第２の駆動領域５２の独立部７２、７３が、それぞれ同じ数のブロックを有する。そして、タッチ検出装置１Ｂは、第１の駆動領域５１及び第２の駆動領域５２が有するブロックを同時に駆動し、第１の駆動領域５１の干渉部７１に存在するブロックの駆動時には、第２の駆動領域５２を空打ち駆動させ、第１の駆動領域５１の干渉部７１に存在するブロックの駆動が完了するのを待つ。タッチ検出装置１Ｂは、干渉部７１のブロックの駆動が完了した後、再度、第１の駆動領域５１及び第２の駆動領域５２の独立部７２、７３に存在する最初のブロックから駆動を開始する。
【００５８】
このような駆動により、タッチ検出装置１Ｂは、第１の駆動領域５１の干渉部７１の駆動時に、第２の駆動領域５２のブロックの駆動を停止させるための信号を不要とすることができる。すなわち、タッチ検出装置１Ｂは、第１の駆動領域５１及び第２の駆動領域５２のブロックの駆動を開始させるための一種類のスタート信号と、ブロックの駆動を制御する１種類のクロックとで、第１の駆動領域５１及び第２の駆動領域５２の独立部７２、７３及び第１の駆動領域５１の干渉部７１に存在する各ブロックを駆動することができる。このため、タッチ検出装置１Ｂは、ブロックの駆動に必要とする信号の種類を、実施形態１、２のタッチ検出装置１、１Ａよりも低減することができる他、実施形態１、２のタッチ検出装置１、１Ａと同様の効果を得ることができる。タッチ検出装置１Ｂは、インセル方式のタッチ検出機能付表示装置においては、特に表示用のゲート線の延在方向（Ｙ方向）と駆動電極ＣＯＭＬの延在方向（Ｙ方向）とが平行な場合に用いることができる。
【００５９】
＜１−４．実施形態４＞
図１５は、実施形態４に係るタッチ検出装置を示す図である。タッチ検出装置１Ｃでは、第１の方向であるＸ方向における駆動電極ＣＯＭＬの寸法、すなわち駆動電極ＣＯＭＬが延在する方向の寸法は、第２の方向であるＹ方向における複数の駆動領域（第１の駆動領域７８及び第２の駆動領域７９）の全体の寸法よりも大きい。タッチ検出装置１Ｃは、液晶表示デバイスと組み合わされてタッチ検出機能付き表示装置として用いられた場合、平面視が長方形の画面の長手方向に駆動電極ＣＯＭＬが延在する。
【００６０】
タッチ検出装置１Ｃは、駆動領域として第１の駆動領域７８及び第２の駆動領域７９を有している。タッチ検出装置１Ｃは、第１の駆動領域７８と第２の駆動領域７９との境界８０から第１の駆動領域７８側における所定数（本例では２個）分の駆動電極ＣＯＭＬのブロックに相当する範囲を干渉部７５としている。また、タッチ検出装置１Ｃは、境界８０から第２の駆動領域７９側における所定数（本例では２個）分の駆動電極ＣＯＭＬのブロックに相当する範囲を干渉部７５としている。第１の駆動領域７８及び第２の駆動領域７９では、干渉部７５以外の駆動電極ＣＯＭＬのブロックが独立部７６、７７となっている。
【００６１】
タッチ検出装置１Ｃは、集積回路である駆動ＩＣ（Integrated  Circuit）６０を有している。駆動ＩＣ６０には、各ブロックの駆動信号を供給するための駆動部及びマルチプレクサを少なくとも有している。タッチ検出装置１Ｃは、タッチ検出機能付き表示装置として用いられた場合、平面視が長方形の画面の長手方向（図１５のＸ方向）に駆動電極ＣＯＭＬが延在し、駆動電極ＣＯＭＬの延在方向と直交する方向（Ｙ方向）にタッチ検出電極ＴＤＬが延在する。このような構造とすることにより、駆動ＩＣ６０を、駆動電極ＣＯＭＬの長手方向における端部側に配置することができる。このような配置とすることにより、駆動ＩＣ６０に駆動部及びマルチプレクサ等のロジックを持たせることができる。
【００６２】
駆動電極ＣＯＭＬの延在する方向を画面の短手方向と平行にする場合、例えば、図１４に示すタッチ検出装置１Ｂのように、駆動電極ＣＯＭＬの両端側であって画面の長辺側に駆動部を配置する必要がある。タッチ検出装置１Ｃは、駆動ＩＣ６０に駆動部及びマルチプレクサ等のロジックを持たせることができるので、画面の長辺側に駆動部を配置する必要はなく、コンパクト化が実現できる。タッチ検出装置１Ｃは、表示用の信号線の延在方向（Ｘ方向）と駆動電極ＣＯＭＬの延在方向（Ｘ方向）とが平行の場合に用いることが好ましい。タッチ検出装置１Ｃは、ＣＯＧ（Chip  On  Glass）に駆動ＩＣ６０を内蔵するときに、配線の引き回しが不要になるので、額縁の低減及び抵抗の低減という効果を奏する。
【００６３】
＜１−５．実施形態５＞
図１６、図１７は、実施形態５に係るタッチ検出装置を示す図である。前述したタッチ検出装置１、１Ａは、駆動領域Ｒ及び駆動領域Ｌとで、それぞれ同じ相互容量方式（Mutual  capacitance  type）の検出方式を用いてタッチを検出するものである。実施形態５のタッチ検出装置１Ｄは、駆動領域Ｒと駆動領域Ｌとで、それぞれ異なる検出方式を用いてタッチを検出する。
【００６４】
タッチ検出装置１Ｄは、駆動領域Ｒでは、相互容量方式でタッチを検出し、駆動領域Ｌでは、自己容量方式（Self  capacitance  type）でタッチを検出する。タッチの検出時において、制御部１１は、複数の駆動領域Ｌ、Ｒのうち、少なくとも１つの駆動領域（本実施形態では駆動領域Ｒ）に属する駆動電極ＣＯＭＬ及びタッチ検出電極ＴＤＬを相互容量方式で駆動する。そして、制御部１１は、相互容量方式で駆動した駆動領域（本実施形態では駆動領域Ｒ）に隣接する駆動領域（本実施形態では駆動領域Ｌ）に属する駆動電極ＣＯＭＬ及び／又はタッチ検出電極ＴＤＬを自己容量方式で駆動する。なお、タッチ検出電極ＴＤＬを自己容量方式で駆動する際に、制御部１１はタッチ検出部４０を介して駆動電圧を供給してもよい。
【００６５】
タッチ検出装置１Ｄ（より具体的には制御部１１）は、図１７に示すように、相互容量方式で駆動している駆動領域Ｒで干渉部６６のブロックを駆動、すなわち、干渉部６６の駆動電極ＣＯＭＬに駆動信号Ｖｃｏｍを印加する際には、干渉部６６の各ブロックの駆動が完了するまでの間、自己容量方式で駆動している駆動領域Ｌのブロックの駆動を停止する。このようにすることで、前述したタッチ検出装置１、１Ａと同様に、干渉部６６のブロックを駆動した際に、駆動領域Ｌ、Ｒの境界６５を超えた電場が他方のタッチ検出動作に与える影響を抑制することができる。本実施形態では、２つの駆動領域Ｌ、Ｒに属する駆動電極ＣＯＭＬのブロックを、それぞれ異なる方式で駆動する例であったが、タッチ検出装置１Ｄが３つ以上の駆動領域を有する場合も同様である。
【００６６】
＜１−６．実施形態６＞
図１８は、実施形態６に係るタッチ検出機能付き表示装置のブロック図である。前述のタッチ検出装置１、１Ａ、１Ｂ、１Ｃ、１Ｄは、図１８に示す実施形態６のタッチ検出機能付き表示装置９のタッチ検出デバイス３０に適用されている。図１８において、タッチ検出機能付き表示装置９は、タッチ検出機能付き表示デバイス１０と、制御部１１と、ゲートドライバ１２と、ソースドライバ１３と、駆動電極ドライバ１４と、タッチ検出部４０とを備えている。タッチ検出機能付き表示装置９は、制御部１１をタッチ検出装置１、１Ａ、１Ｂ、１Ｃ、１Ｄと共用しているが、これに限定されるものではない。
【００６７】
タッチ検出機能付き表示装置９において、タッチ検出機能付き表示デバイス１０は、タッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した、いわゆるインセルタイプの装置である。なお、タッチ検出機能付き表示デバイス１０は、表示素子として液晶表示素子を用いている液晶表示デバイス２０の上に、静電容量型のタッチ検出デバイス３０を装着した、いわゆるオンセルタイプの装置であってもよい。このように、タッチ検出機能付き表示デバイス１０は、タッチ検出装置としてのタッチ検出デバイス３０と表示装置としての液晶表示デバイス２０とが組み合わされた装置である。
【００６８】
液晶表示デバイス２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４及びタッチ検出部４０に対してそれぞれ制御信号を供給し、これらが互いに同期して動作するように制御する回路である。
【００６９】
ゲートドライバ１２は、制御部１１から供給される制御信号に基づいて、タッチ検出機能付き表示デバイス１０の表示駆動の対象となる１水平ラインを順次選択する機能を有している。ソースドライバ１３は、制御部１１から供給される制御信号に基づいて、タッチ検出機能付き表示デバイス１０の、後述する各画素Ｐｉｘ（副画素ＳＰｉｘ）に画素信号Ｖｐｉｘを供給する回路である。ソースドライバ１３は、１水平ライン分の映像信号から、液晶表示デバイス２０の複数の副画素ＳＰｉｘの画素信号Ｖｐｉｘを時分割多重化した画素信号を生成する。駆動電極ドライバ１４は、制御部１１から供給される制御信号に基づいて、タッチ検出機能付き表示デバイス１０に表示用の駆動電極として設けられている駆動電極ＣＯＭＬに駆動信号Ｖｃｏｍを供給する回路である。
【００７０】
図１８に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。タッチ検出デバイス３０は、複数の後述するタッチ検出電極ＴＤＬから、検出ブロック毎にタッチ検出信号Ｖｄｅｔを出力し、タッチ検出部４０に供給するようになっている。
【００７１】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（前述した接触状態）の有無を検出し、タッチがある場合においてタッチ検出領域におけるその座標などを求める回路である。このタッチ検出部４０はアナログＬＰＦ（Low  Pass  Filter）部４２と、Ａ／Ｄ変換部４３と、信号処理部４４と、座標抽出部４５と、検出タイミング制御部４６とを備えている。
【００７２】
アナログＬＰＦ部４２は、タッチ検出デバイス３０から供給されたタッチ検出信号Ｖｄｅｔを入力とし、タッチ検出信号Ｖｄｅｔに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。
【００７３】
Ａ／Ｄ変換部４３は、駆動信号Ｖｃｏｍに同期したタイミングで、アナログＬＰＦ部４２から出力されるアナログ信号をそれぞれサンプリングしてデジタル信号に変換する回路である。信号処理部４４は、Ａ／Ｄ変換部４３の出力信号に含まれる、タッチ駆動信号Ｖｃｏｍｔをサンプリングした周波数よりも高い周波数成分（ノイズ成分）を除去し、タッチ成分を取り出すデジタルフィルタを備えている。信号処理部４４は、Ａ／Ｄ変換部４３の出力信号に基づいて、タッチ検出デバイス３０に対するタッチの有無を検出する論理回路である。座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。
【００７４】
図１９及び図２０は、タッチ検出機能付き表示装置を実装したモジュールの一例を示す図である。図１９に示すように、タッチ検出機能付き表示装置９は、モジュールへ実装するにあたり、ガラス基板のＴＦＴ基板２１上に前述した駆動電極ドライバ１４を形成してもよい。
【００７５】
図１９に示すように、タッチ検出機能付き表示装置９は、タッチ検出機能付き表示デバイス１０と、駆動電極ドライバ１４と、ＣＯＧ（Chip  On  Glass）１９Ａとを有している。図１９は、後述するＴＦＴ基板の表面に対する垂直方向において、駆動電極ＣＯＭＬと、駆動電極ＣＯＭＬと立体交差するように形成されたタッチ検出電極ＴＤＬとを含むタッチ検出機能付き表示デバイス１０を模式的に示している。駆動電極ＣＯＭＬは、タッチ検出機能付き表示デバイス１０の短辺方向に形成されており、タッチ検出電極ＴＤＬは、タッチ検出機能付き表示デバイス１０の長辺方向に形成されている。タッチ検出電極ＴＤＬの出力は、タッチ検出機能付き表示デバイス１０の短辺側に設けられ、フレキシブル基板などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１８に示した制御部１１、ゲートドライバ１２、ソースドライバ１３など、表示動作に必要な各回路を内蔵したものである。また、図２０に示すように、タッチ検出機能付き表示装置９は、ＣＯＧ（Chip  On  Glass）１９Ｂに駆動電極ドライバ１４を内蔵してもよい。
【００７６】
図２０に示すように、タッチ検出機能付き表示装置９は、ＣＯＧ１９Ｂを有している。図２０に示すＣＯＧ１９Ｂは、上述した表示動作に必要な各回路に加え、駆動電極ドライバ１４をさらに内蔵したものである。図２０に示すタッチ検出機能付き表示装置９は、ＣＯＧ１９Ｂに駆動電極ドライバ１４を内蔵しているので、額縁を狭くすることができる。また、駆動電極ＣＯＭＬがタッチ検出機能付き表示デバイス１０の長辺方向に形成されており、タッチ検出電極ＴＤＬが、タッチ検出機能付き表示デバイス１０の短辺方向に形成されていてもよい。その場合、ＣＯＧ１９Ｂへの駆動電極ドライバ内蔵時に各駆動電極からＣＯＧ１９Ｂへの配線の引き回しが少なくて済む。
【００７７】
次に、タッチ検出機能付き表示デバイス１０の構成例を詳細に説明する。
【００７８】
図２１は、タッチ検出機能付き表示デバイスの概略断面構造を表す断面図である。図２２は、タッチ検出機能付き表示デバイスの画素配列を表す回路図である。タッチ検出機能付き表示デバイス１０は、画素基板２と、この画素基板２の表面に垂直な方向に対向して配置された対向基板３と、画素基板２と対向基板３との間に挿設された液晶層６とを備えている。
【００７９】
画素基板２は、回路基板としてのＴＦＴ基板２１と、このＴＦＴ基板２１上にマトリックス状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図２２に示す各副画素ＳＰｉｘの薄膜トランジスタ（ＴＦＴ：Thin  Film  Transistor）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画素信号を供給する。図２２に示す液晶表示デバイス２０は、マトリックス状に配列した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００８０】
副画素ＳＰｉｘは、走査信号線ＧＣＬにより、液晶表示デバイス２０の同じ行に属する他の副画素ＳＰｉｘと互いに接続されている。走査信号線ＧＣＬは、ゲートドライバ１２と接続され、ゲートドライバ１２より走査信号Ｖｓｃａｎが供給される。また、副画素ＳＰｉｘは、画素信号線ＳＧＬにより、液晶表示デバイス２０の同じ列に属する他の副画素ＳＰｉｘと互いに接続されている。画素信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ列に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一列に属する複数の副画素ＳＰｉｘが１本の駆動電極ＣＯＭＬを共有するようになっている。図２２に示す液晶表示デバイス２０は、駆動電極ＣＯＭＬと画素信号線ＳＧＬとが平行であるが、駆動電極ＣＯＭＬと走査信号線ＧＣＬとが平行であってもよい。
【００８１】
図１８に示すゲートドライバ１２は、走査信号Ｖｓｃａｎを、図２２に示す走査信号線ＧＣＬを介して、副画素ＳＰｉｘのＴＦＴ素子Ｔｒのゲートに印加することにより、液晶表示デバイス２０にマトリックス状に形成されている副画素ＳＰｉｘのうちの１行（１水平ライン）を表示駆動の対象として順次選択する。図１８に示すソースドライバ１３は、画素信号Ｖｐｉｘを、図２２に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１８に示す駆動電極ドライバ１４は、駆動信号Ｖｃｏｍを印加し、図２１及び図２２に示す駆動電極ＣＯＭＬを駆動する。
【００８２】
前述したように、液晶表示デバイス２０は、ゲートドライバ１２が走査信号線ＧＣＬを時分割的に線順次走査するように駆動することにより、１水平ラインが順次選択される。また、液晶表示デバイス２０は、１水平ラインに属する画素Ｐｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００８３】
対向基板３は、ガラス基板３１と、このガラス基板３１の一方の面に形成されたカラーフィルタ３２と、を含む。ガラス基板３１の他方の面には、タッチ検出デバイス３０の検出電極であるタッチ検出電極ＴＤＬが形成され、さらに、このタッチ検出電極ＴＤＬの上には、偏光板３５Ａが配設されている。
【００８４】
カラーフィルタ３２は、赤（Ｒ）、緑（Ｇ）、青（Ｂ）の３色に着色された色領域３２Ｒ、３２Ｇ、３２Ｂを含む。カラーフィルタ３２は、ＴＦＴ基板２１と垂直な方向において、ＣＯＧ１９と対向しており、ＴＦＴ基板２１の表面と垂直な方向に見て重なり合う。カラーフィルタ３２は、例えば赤（Ｒ）、緑（Ｇ）、青（Ｂ）の３色に着色されたカラーフィルタが周期的に配列され、上述した図２２に示す各副画素ＳＰｉｘが赤（Ｒ）、緑（Ｇ）、青（Ｂ）の３色に着色された色領域３２Ｒ、３２Ｇ、３２Ｂに対応付けられるとともに、１組として画素Ｐｉｘに対応付けられている。カラーフィルタ３２は、ＴＦＴ基板２１と垂直な方向において、液晶層６と対向する。なお、カラーフィルタ３２は、異なる色に着色されていれば、他の色の組み合わせであってもよい。
【００８５】
本実施形態の場合、表示用の駆動電極である駆動電極ＣＯＭＬは、液晶表示デバイス２０の共通電極（共通駆動電極）として機能するとともに、タッチ検出デバイス３０、より具体的には前述したタッチ検出装置１、１Ａ等の駆動電極としても機能する。本実施形態では、一つの駆動電極ＣＯＭＬが一つの画素電極２２（一行を構成する画素電極２２）に対応するように配置されている。絶縁層２４は、画素電極２２と駆動電極ＣＯＭＬとを絶縁するとともに、画素電極２２とＴＦＴ基板２１の表面に形成された画素信号線ＳＧＬとを絶縁する。駆動電極ＣＯＭＬは、ＴＦＴ基板２１の表面に対する垂直方向において、画素電極２２に対向し、上述した走査信号線ＧＣＬが延在する方向と平行な方向に延在している。駆動電極ＣＯＭＬは、図示しない導電性を有するコンタクト導電柱を介して、駆動電極ドライバ１４から駆動電極ＣＯＭＬに交流矩形波形の駆動信号Ｖｃｏｍが印加されるようになっている。
【００８６】
液晶層６は、電界の状態に応じてそこを通過する光を変調するものであり、例えば、ＦＦＳ（フリンジフィールドスイッチング）又はＩＰＳ（インプレーンスイッチング）等の横電界モードの液晶表示デバイスに用いられる。なお、図２１に示す液晶層６と画素基板２との間、及び液晶層６と対向基板３との間には、それぞれ配向膜が配設されてもよい。なお、本実施形態では、液晶層６と画素基板２との間及び液晶層６と対向基板３との間には、それぞれ配向膜が配設され、また、画素基板２の下面側には入射側偏光板３５Ｂが配置されている。
【００８７】
駆動電極ＣＯＭＬは、本開示における「駆動電極」の一具体例に対応する。タッチ検出電極ＴＤＬは、本開示における「検出電極」に対応する。
【００８８】
続いて、実施形態６のタッチ検出機能付き表示装置９の動作及び作用について説明する。
【００８９】
図２３は、実施形態６に係るタッチ検出機能付き表示装置の一動作例を表すタイミング波形図である。駆動電極ＣＯＭＬは、液晶表示デバイス２０の共通駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示期間Ｂと、タッチ検出動作を行うタッチ検出期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００９０】
制御部１１は、外部より供給された映像信号Ｖｄｉｓｐに基づいて、ゲートドライバ１２、ソースドライバ１３、駆動電極ドライバ１４及びタッチ検出部４０に対してそれぞれ制御信号を供給し、これらがお互いに同期して動作するように制御する。ゲートドライバ１２は、表示期間Ｂにおいて、液晶表示デバイス２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００９１】
駆動電極ドライバ１４は、表示期間Ｂでは、１水平ラインに係る駆動電極ブロックに表示駆動信号Ｖｃｏｍｄを印加し、タッチ検出期間Ａでは、タッチ検出動作に係る駆動電極ブロックに対して表示駆動信号Ｖｃｏｍｄよりも周波数の高いタッチ駆動信号Ｖｃｏｍｔを順次印加し、１検出ブロックを順次選択する。タッチ検出機能付き表示デバイス１０は、表示期間Ｂにおいて、ゲートドライバ１２、ソースドライバ１３及び駆動電極ドライバ１４により供給された信号に基づいて表示動作を行う。タッチ検出機能付き表示デバイス１０は、タッチ検出期間Ａにおいて、駆動電極ドライバ１４により供給された信号に基づいてタッチ検出動作を行い、タッチ検出電極ＴＤＬからタッチ検出信号Ｖｄｅｔを出力する。アナログＬＰＦ部４２は、タッチ検出信号Ｖｄｅｔを増幅して出力する。Ａ／Ｄ変換部４３は、タッチ駆動信号Ｖｃｏｍｔに同期したタイミングで、アナログＬＰＦ部４２から出力されるアナログ信号をデジダル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求め、出力信号Ｖｏｕｔを出力する。制御部１１は、検出タイミング制御部４６を制御して、タッチ駆動信号Ｖｃｏｍｔのサンプリング周波数を変更する。
【００９２】
次に、タッチ検出機能付き表示装置９の詳細動作を説明する。図２３に示すように、液晶表示デバイス２０は、ゲートドライバ１２から供給される走査信号Ｖｓｃａｎに従って、走査信号線ＧＣＬのうちの、隣接する（ｎ−１）行目、ｎ行目、（ｎ＋１）行目の走査信号線ＧＣＬの１水平ラインずつを順次走査して表示を行う。同様に、駆動電極ドライバ１４は、制御部１１から供給される制御信号に基づいて、タッチ検出機能付き表示デバイス１０の、駆動電極ＣＯＭＬのうちの、隣接する（ｍ−１）列目、ｍ列目、（ｍ＋１）列目に駆動信号Ｖｃｏｍを供給する。
【００９３】
このように、タッチ検出機能付き表示装置９では、１表示水平期間１Ｈ毎に、タッチ検出動作（タッチ検出期間Ａ）と表示動作（表示期間Ｂ）を時分割的に行う。タッチ検出動作では、１表示水平期間１Ｈ毎に、異なる駆動電極ＣＯＭＬを選択して駆動信号Ｖｃｏｍを印加することにより、タッチ検出の走査を行う。次に、その動作を詳細に説明する。まず、ゲートドライバ１２が、（ｎ−１）行目の走査信号線ＧＣＬに対して走査信号Ｖｓｃａｎを印加し、走査信号Ｖｓｃａｎ（ｎ−１）が低レベルから高レベルに変化する。これにより、１表示水平期間１Ｈが開始する。
【００９４】
次に、タッチ検出期間Ａにおいて、駆動電極ドライバ１４が、（ｍ−１）列目の駆動電極ＣＯＭＬに対して駆動信号Ｖｃｏｍを印加し、駆動信号Ｖｃｏｍ（ｍ−１）が低レベルから高レベルに変化する。この駆動信号Ｖｃｏｍ（ｍ−１）は、静電容量を介してタッチ検出電極ＴＤＬに伝わり、タッチ検出信号Ｖｄｅｔが変化する。次に、駆動信号Ｖｃｏｍ（ｍ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置９では、１検出ラインのタッチ検出が行われる。
【００９５】
次に、表示期間Ｂにおいて、ソースドライバ１３が、画素信号線ＳＧＬに対して画素信号Ｖｐｉｘを印加し、１水平ラインに対する表示を行う。なお、図２３に示したように、この画素信号Ｖｐｉｘの変化が、寄生容量を介してタッチ検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査信号線ＧＣＬの走査信号Ｖｓｃａｎ（ｎ−１）を高レベルから低レベルに変化させ、１表示水平期間１Ｈが終了する。
【００９６】
次に、ゲートドライバ１２は、先ほどとは異なるｎ行目の走査信号線ＧＣＬに対して走査信号Ｖｓｃａｎを印加し、走査信号Ｖｓｃａｎ（ｎ）が低レベルから高レベルに変化する。これにより、次の１表示水平期間１Ｈが開始する。
【００９７】
次のタッチ検出期間Ａにおいて、駆動電極ドライバ１４が、先ほどとは異なるｍ列目の駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。
【００９８】
次に、表示期間Ｂにおいて、ソースドライバ１３が、画素信号線ＳＧＬに対して画素信号Ｖｐｉｘを印加し、１水平ラインに対する表示を行う。なお、本実施形態のタッチ検出機能付き表示装置９はドット反転駆動を行うため、ソースドライバ１３が印加する画素信号Ｖｐｉｘは、前の１表示水平期間１Ｈのものと比べて、その極性が反転している。この表示期間Ｂが終了した後、この１表示水平期間１Ｈが終了する。
【００９９】
これ以降、上述した動作を繰り返すことにより、タッチ検出機能付き表示装置９は、表示面全面にわたる走査により表示動作を行うとともに、タッチ検出面全面にわたる走査によりタッチ検出動作を行う。
【０１００】
上述したように、タッチ検出機能付き表示装置９では、１表示水平期間１Ｈにおいて、タッチ検出動作はタッチ検出期間Ａに行い、表示動作は表示期間Ｂに行うようにしている。このように、タッチ検出動作と表示動作とを別々の期間に行うようにしたので、同じ１表示水平期間１Ｈにおいて表示動作とタッチ検出動作の両方を行うことができるとともに、表示動作のタッチ検出に対する影響を抑えることができる。また、この実施形態６のタッチ検出機能付き表示装置９は、前述したタッチ検出装置１、１Ａ等が適用されているため、これらが奏する効果と同様の効果が得られる。なお、タッチ検出機能付き表示装置９は、必ずしも１表示水平期間１Ｈにおいて表示動作とタッチ検出動作とを行う必要はない。例えば、タッチ検出機能付き表示装置９は、１画面分の表示を行う１フレーム期間の間にタッチ検出期間Ａと表示期間Ｂとを任意に設定してタッチ検出動作と表示動作とを時分割で行ってもよい。
【０１０１】
（変形例）
図２４は、変形例に係るタッチ検出機能付き表示装置を実装したモジュールの一例を示す図である。タッチ検出機能付き表示装置１Ｅの制御系は、図１８に示すタッチ検出機能付き表示装置９と同様である。図２４に示すように、タッチ検出機能付き表示装置１Ｅは、液晶表示デバイス２０と、駆動電極ドライバ１４と、ＣＯＧ１９とを含む。ＣＯＧ１９は、ソースドライバ１３を含む。駆動電極ドライバ１４は、ガラス基板であるＴＦＴ基板２１に形成されている。ＣＯＧ１９は、ＴＦＴ基板２１に実装されたチップであり、図１８に示した制御部１１、ソースドライバ１３など、表示動作に必要な各回路を内蔵したものである。また、タッチ検出機能付き表示装置１Ｅは、ＣＯＧ１９に駆動電極ドライバ１４、ゲートドライバ１２などの回路を内蔵してもよい。
【０１０２】
このタッチ検出機能付き表示デバイス１０Ｅでは、ＴＦＴ基板２１の表面に対する垂直方向において、駆動電極ＣＯＭＬと、ゲートドライバ１２に接続される走査信号線ＧＣＬとが、駆動電極ＣＯＭＬと立体交差するように形成されている。また、タッチ検出機能付き表示デバイス１０Ｅは、ＴＦＴ基板２１の表面に対する垂直方向において、画素信号線ＳＧＬは、駆動電極ＣＯＭＬと交差せず駆動電極ＣＯＭＬと平行な方向に延びるように形成されている。
【０１０３】
タッチ検出機能付き表示デバイス１０Ｅの駆動電極ＣＯＭＬは、タッチ検出機能付き表示デバイス１０Ｅの長辺方向に形成されており、タッチ検出電極ＴＤＬは、タッチ検出機能付き表示デバイス１０Ｅの短辺方向に形成されている。タッチ検出電極ＴＤＬの出力端は、タッチ検出機能付き表示デバイス１０Ｅの短辺側に設けられ、フレキシブル基板などにより構成された端子部Ｔを介して、このモジュールの外部に実装されたタッチ検出部４０（図１８参照）と接続されている。
【０１０４】
このように、図２４に示すタッチ検出機能付き表示装置１Ｅは、タッチ検出信号Ｖｄｅｔを、タッチ検出機能付き表示デバイス１０Ｅの短辺側から出力する。これにより、タッチ検出機能付き表示装置１は、端子部Ｔを介してタッチ検出部４０に接続する際の配線の引き回しが容易になる。
【０１０５】
タッチ検出機能付き表示装置１Ｅは、表示走査を、タッチ検出機能付き表示デバイス１０Ｅの長辺方向Ｌと平行に行う。一方、タッチ検出機能付き表示装置１Ｅは、タッチ検出動作の際に、駆動電極ＣＯＭＬに駆動信号Ｖｃｏｍを順次印加することにより、１検出ラインずつ線順次走査が行われる。つまり、タッチ検出機能付き表示装置１Ｅは、タッチ検出走査を、タッチ検出機能付き表示デバイス１０Ｅの短辺方向Ｓと平行に行う。このように、タッチ検出機能付き表示装置１Ｅは、表示走査の方向とタッチ検出走査の方向とが異なる。
【０１０６】
以上、本開示を適用した各種装置の実施形態を説明したが、本開示は各実施形態に限定されることはなく、各実施形態以外に種々の変更が可能である。例えば、前述の各実施形態では、駆動電極ＣＯＭＬの１本毎に駆動電極ＣＯＭＬを駆動し走査したが、これに代えて、所定の本数の駆動電極ＣＯＭＬを駆動するとともに、駆動電極ＣＯＭＬを１本ずつシフトして走査してもよい。
【０１０７】
前述した各種のモードの液晶表示デバイス２０に代えて、ＴＮ（Twisted  Nematic：ツイステッドネマティック）、ＶＡ（Vertical  Alignment：垂直配向）、ＥＣＢ（Electrically  Controlled  Birefringence：電界制御複屈折）等の各種モードの液晶表示デバイスとタッチ検出デバイスとを一体化してタッチ検出機能付き表示部１０を形成してもよい。また、タッチ検出機能付き表示デバイス１０は、横電界モードの液晶を用いて構成されていてもよい。また、各実施形態の説明では、タッチ検出機能付き表示装置９は、液晶表示デバイス２０と静電容量型のタッチ検出デバイス３０とを一体化したいわゆるインセルタイプであることとしたが、これに代えて、例えば液晶表示デバイスに静電容量型のタッチ検出デバイスを装着したものであってもよい。
【０１０８】
２．適用例
図２５〜図３１は、本開示に係るタッチ検出装置が適用された電子機器の一例を示す図である。次に、これらの図を参照して、タッチ検出装置１、１Ａ等の適用例について説明する。タッチ検出装置１、１Ａ等は、テレビジョン装置、ディジタルカメラ、ノート型パーソナルコンピュータ、携帯電話等の携帯端末装置あるいはビデオカメラなどのあらゆる分野の電子機器に適用することが可能である。言い換えると、タッチ検出装置１、１Ａ等は、外部から入力された映像信号あるいは内部で生成した映像信号を、画像あるいは映像として表示するあらゆる分野の電子機器に適用することが可能である。
【０１０９】
（適用例１）
図２５に示す電子機器は、タッチ検出装置１、１Ａ等が適用されるテレビジョン装置である。このテレビジョン装置は、例えば、フロントパネル５１１及びフィルターガラス５１２を含む映像表示画面部５１０を有しており、この映像表示画面部５１０は、タッチ検出装置１、１Ａ等を備えている。
【０１１０】
（適用例２）
図２６及び図２７に示す電子機器は、タッチ検出装置１、１Ａ等が適用されるディジタルカメラである。このディジタルカメラは、例えば、フラッシュ用の発光部５２１、表示部５２２、メニュースイッチ５２３及びシャッターボタン５２４を有しており、その表示部５２２は、タッチ検出装置１、１Ａ等を備えている。
【０１１１】
（適用例３）
図２８に示す電子機器は、タッチ検出装置１、１Ａ等が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、タッチ検出装置１、１Ａ等を備えている。
【０１１２】
（適用例４）
図２９に示す電子機器は、タッチ検出装置１、１Ａ等が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、タッチ検出装置１、１Ａ等を備えている。
【０１１３】
（適用例５）
図３０に示す電子機器は、タッチ検出装置１、１Ａ等が適用される携帯電話機である。この携帯電話機は、例えば、上側筐体５５１と下側筐体５５２とを連結部（ヒンジ部）５５３で連結したものであり、ディスプレイ５５４を有している。そのディスプレイ５５４は、タッチ検出装置１、１Ａ等を備えている。
【０１１４】
（適用例６）
図３１に示す電子機器は、タッチ検出装置１、１Ａ等が適用される、いわゆるスマートフォンと呼ばれる携帯電話機である。この携帯電話機は、例えば略長方形の薄板状の筐体６０１の表面部にタッチパネル６０２を有している。このタッチパネル６０２は、タッチ検出装置１、１Ａ等を備えている。
【０１１５】
３．本開示の構成
本開示は、次のような構成を採ることができる。
（１）第１の方向に向かって延在し、かつ前記第１の方向と交差する第２の方向に向かって配列されて、対象物の接近及び接触の少なくとも一方を検出するための信号として駆動信号が印加される複数の駆動電極と、前記第２の方向に向かって延在し、かつ前記第１の方向に向かって配列されて、前記駆動電極との間に生じる静電容量の変化に対応した信号としての検出信号を出力する複数の検出電極と、を有し、前記第２の方向に配列され、かつ隣接する第１の駆動領域及び第２の駆動領域と、
隣接する前記第１の駆動領域と前記第２の駆動領域との間の境界と、
前記第１の駆動領域に含まれる第１の所定領域と前記第２の駆動領域に含まれる第２の所定領域と、を有し、
前記第１の所定領域と前記第２の所定領域とが前記境界を挟んで向かい合い、
前記第１の所定領域に存在する駆動電極に駆動信号が印加されるタイミングでは、前記第２の駆動領域に存在する駆動電極への駆動信号の印加を停止し、前記第２の所定領域に駆動信号が印加されるタイミングでは、前記第１の駆動領域に存在する駆動電極への駆動信号の印加を停止する、タッチ検出装置。
（２）前記第１の所定領域に存在する駆動電極に駆動信号が印加されるタイミングでは、前記第２の駆動領域に存在するすべての駆動電極への駆動信号の印加を停止し、前記第２の所定領域に駆動信号が印加されるタイミングでは、前記第１の駆動領域に存在するすべての駆動電極への駆動信号の印加を停止する、前記（１）に記載のタッチ検出装置。
（３）隣接する前記第１の駆動領域と前記第２の駆動領域とに属するそれぞれの前記検出電極は、前記境界側の位置が同一である、前記（１）又は前記（２）に記載のタッチ検出装置。
（４）前記第１の駆動領域と前記第２の駆動領域とは同一の大きさである、前記（１）から前記（３）のいずれか１つに記載のタッチ検出装置。
（５）前記第１の所定領域及び前記第２の所定領域は、少なくとも、前記第２の方向における前記駆動電極の寸法の１／２以上である、前記（１）から前記（４）のいずれか１つに記載のタッチ検出装置。
（６）前記第１の駆動領域及び前記第２の駆動領域のうち、少なくとも１つにおいて、前記駆動信号を前記複数の駆動電極のうち少なくとも２つに対して同時に印加する、前記（１）から前記（５）のいずれか１つに記載のタッチ検出装置。
（７）隣接する前記第１の駆動領域と前記第２の駆動領域とのいずれにも駆動信号が印加されない期間には、隣接する前記第１の駆動領域及び前記第２の駆動領域において並列にタッチ検出を行う、前記（１）から前記（５）のいずれか１つに記載のタッチ検出装置。
（８）前記第１の駆動領域の前記検出電極は前記境界を挟んで前記第２の駆動領域の検出電極と分離し、前記第２の駆動領域の前記検出電極は前記境界を挟んで前記第１の駆動領域の検出電極と分離しており、かつ前記第１の駆動領域及び前記第２の駆動領域毎に複数の前記検出電極を有している、前記（１）から前記（６）のいずれか１つに記載のタッチ検出装置。
（９）前記第１の所定領域に属する前記駆動電極及び前記第２の所定領域に属する前記駆動電極に前記駆動信号を印加するとき、前記第１の所定領域の前記検出電極からの出力と、前記第２の所定領域の前記検出電極からの出力との和を検出信号とし、
前記第１の所定領域及び前記第２の所定領域以外に属する前記駆動電極に前記駆動信号を印加するときは、前記第１の駆動領域及び前記第２の駆動領域毎の前記検出電極からの出力を検出信号とする、前記（１）から前記（８）のいずれか１つに記載のタッチ検出装置。
（１０）前記第１の所定領域の駆動電極又は前記第２の所定領域の駆動電極を駆動する場合には、前記第１の駆動領域の検出電極又は前記第２の駆動領域の検出電極からの検出信号のみを検出する、前記（１）から前記（８）のいずれか１つに記載のタッチ検出装置。
（１１）前記第１の駆動領域と前記第２の駆動領域とは、前記第２の方向側で隣接し、
前記境界から前記第１の駆動領域側に向かって所定数分の前記駆動電極に相当する領域を前記第１の所定領域とし、前記第１の駆動領域に属する前記複数の駆動電極の数は、前記第２の駆動領域に属する前記複数の駆動電極の数よりも多く、
前記第１の駆動領域に属する前記複数の駆動電極のうち、前記第２の方向において前記境界から最も遠い駆動電極から前記境界側の駆動電極に向かって順に前記駆動信号を印加し、かつ前記第２の駆動領域に属する前記複数の駆動電極のうち、前記境界に最も近い駆動電極又は最も遠い駆動電極から前記第２の方向において前記境界から離れた駆動電極に向かって順に前記駆動信号を印加することを繰り返す、前記（１）から前記（１０）のいずれか１つに記載のタッチ検出装置。
（１２）前記第１の方向における前記駆動電極の寸法は、前記第２の方向における前記第１の駆動領域及び前記第２の全体の寸法よりも大きい、前記（１）から前記（１１）のいずれか１つに記載のタッチ検出装置。
（１３）前記第１の駆動領域及び前記第２の駆動領域のうち、少なくとも１つの駆動領域に属する前記駆動電極及び前記検出電極を相互容量方式で駆動し、前記相互容量方式で駆動しない方に属する前記駆動電極及び前記検出電極を自己容量方式で駆動する、前記（１）から前記（１２）のいずれか１つに記載のタッチ検出装置。
（１４）前記（１）から前記（１３）のいずれか１つに記載のタッチ検出装置を備えたタッチ検出機能付き表示装置。
（１５）第１の方向に向かって延在し、かつ前記第１の方向と交差する第２の方向に向かって配列されて、対象物の接近及び接触の少なくとも一方を検出するための信号として駆動信号が印加される複数の駆動電極と、前記第２の方向に向かって延在し、かつ前記第１の方向に向かって配列されて、前記駆動電極との間に生じる静電容量の変化に対応した信号としての検出信号を出力する複数の検出電極と、を有し、前記第２の方向に配列され、かつ隣接する第１の駆動領域及び第２の駆動領域と、
隣接する前記第１の駆動領域と前記第２の駆動領域との間の境界と、
前記第１の駆動領域に含まれる第１の所定領域と前記第２の駆動領域に含まれる第２の所定領域と、を含むタッチ検出装置と、
前記タッチ検出装置と組み合わされた表示装置と、を有し、
前記第１の所定領域と前記第２の所定領域とが前記境界を挟んで向かい合い、前記表示装置の表示走査と前記タッチ検出装置のタッチ検出走査の方向とが異なる、タッチ検出機能付き表示装置。
（１６）前記（１）から前記（１３）のいずれか１つに記載のタッチ検出装置を備えた電子機器。
【０１１６】
以上、本開示について説明したが、上述した内容により本開示が限定されるものではない。また、上述した本開示の構成要素には、当業者が容易に想定できるもの、実質的に同一のもの、いわゆる均等の範囲のものが含まれる。さらに、上述した構成要素は適宜組み合わせることが可能である。また、本開示の要旨を逸脱しない範囲で構成要素の種々の省略、置換及び変更を行うことができる。
【符号の説明】
【０１１７】
１、１Ａ、１Ｂ、１Ｃ、１Ｄ  タッチ検出装置
９  タッチ検出機能付き表示装置
１０  表示デバイス
１１  制御部
１２  ゲートドライバ
１３  ソースドライバ
１４  駆動電極ドライバ
２０  液晶表示デバイス
３０  タッチ検出デバイス
５１、７８  第１の駆動領域
５２、７９  第２の駆動領域
５３  駆動部
５３Ａ  第１の駆動部
５３Ｂ  第２の駆動部
５５、５６、５７  ブロック
６５、７０、８０  境界
６６、７１、７２、７３  干渉部
６７Ｌ、６７Ｒ、７６  独立部
【図１】
2015043200.tif 000003
【図２】
2015043200.tif 000004
【図３】
2015043200.tif 000005
【図４】
2015043200.tif 000006
【図５】
2015043200.tif 000007
【図６】
2015043200.tif 000008
【図７】
2015043200.tif 000009
【図８Ａ】
2015043200.tif 000010
【図８Ｂ】
2015043200.tif 000011
【図９】
2015043200.tif 000012
【図１０】
2015043200.tif 000013
【図１１】
2015043200.tif 000014
【図１２】
2015043200.tif 000015
【図１３】
2015043200.tif 000016
【図１４】
2015043200.tif 000017
【図１５】
2015043200.tif 000018
【図１６】
2015043200.tif 000019
【図１７】
2015043200.tif 000020
【図１８】
2015043200.tif 000021
【図１９】
2015043200.tif 000022
【図２０】
2015043200.tif 000023
【図２１】
2015043200.tif 000024
【図２２】
2015043200.tif 000025
【図２３】
2015043200.tif 000026
【図２４】
2015043200.tif 000027
【図２５】
2015043200.tif 000028
【図２６】
2015043200.tif 000029
【図２７】
2015043200.tif 000030
【図２８】
2015043200.tif 000031
【図２９】
2015043200.tif 000032
【図３０】
2015043200.tif 000033
【図３１】
2015043200.tif 000034